(57)【要約】【課題】設定される壁紙に応じて、重畳して表示される時間情報の表示位置を簡単に、かつ、好適に変更することができるようにする。【解決手段】本発明に係る情報処理装置に適用可能な携帯電話機においては、主制御部は、待ち受け画面上に表示される壁紙と時間情報とを液晶ディスプレイに表示させ、液晶ディスプレイにおける全表示領域の中から、時間情報を表示するための表示領域である時間情報表示領域を判定し、判定された時間情報表示領域を用いて、液晶ディスプレイによって壁紙に重畳して表示される時間情報の表示位置を変更する。【選択図】  図６
2008269095.tif 000002
【特許請求の範囲】
【請求項１】
待ち受け画面上に壁紙と時間情報とを表示する表示手段と、
前記表示手段における表示領域の中から、前記時間情報を表示するための表示領域である時間情報表示領域を判定する判定手段と、
前記判定手段により判定された前記時間情報表示領域を用いて、前記表示手段により前記壁紙に重畳して表示される前記時間情報の表示位置を変更する変更手段とを備えることを特徴とする情報処理装置。
【請求項２】
前記壁紙の画像に含まれる人物の顔を検知し、検知された人物の顔の任意の位置の座標を算出する算出手段とをさらに備え、
前記判定手段は、前記算出手段により算出された人物の顔の任意の位置の座標に基づいて、前記壁紙の画像に含まれる人物の顔に重ならないように前記時間情報を表示可能な表示領域を、前記時間情報表示領域として判定することを特徴とする請求項１に記載の情報処理装置。
【請求項３】
前記壁紙の画像に含まれる、画素の変化が少ない領域である画素低変化領域を検知する検知手段とをさらに備え、
前記判定手段は、前記検知手段により検知された前記画素低変化領域を用いて、ユーザが前記壁紙を視認する際に影響を与える程度に壁紙の画像に重ならないように前記時間情報を表示可能な表示領域を、前記時間情報表示領域として判定することを特徴とする請求項１に記載の情報処理装置。
【請求項４】
前記時間情報のデザインを、予め記憶されている複数の前記時間情報のデザインの中から選択が受け付けられたデザインに設定する設定手段をさらに備えることを特徴とする請求項１に記載の情報処理装置。
【請求項５】
前記壁紙を、予め記憶されている複数の前記壁紙の中から選択が受け付けられた前記壁紙に設定する設定手段をさらに備えることを特徴とする請求項１に記載の情報処理装置。
【発明の詳細な説明】
【技術分野】
【０００１】
本発明は情報処理装置に係り、特に、待ち受け画面上に所望の壁紙を設定することができるようにした情報処理装置に関する。
【背景技術】
【０００２】
最近、携帯電話機においては、待ち受け画面上にユーザの好みに応じて所望の壁紙を設定する機能が搭載されるようになってきている。これにより、例えば過去に携帯電話機などによって撮像された画像や外部から取得された画像などのうちの任意の画像を、ユーザの好みに応じて壁紙として設定することができ、待ち受け画面上に設定された壁紙を表示することができる（例えば特許文献１参照）。
【０００３】
また、携帯電話機においては、待ち受け画面に表示される時間情報に関し、いくつかのデザイン（例えば月日などを１行で記述するデザインなど）の中からユーザにより選択された所望のデザインを用いた時間情報を、待ち受け画面上の壁紙に重畳して表示する機能が搭載されている。
【特許文献１】特開２０００−２０７０８６号公報
【発明の開示】
【発明が解決しようとする課題】
【０００４】
しかしながら、例えば待ち受け画面上に表示される壁紙として人物の画像（写真）を設定してしまうと、人物の顔が表示されている部分に時間情報が重なって表示されてしまう場合もあり、このような場合にはユーザが意図しない待ち受け画面となってしまうという課題があった。
【０００５】
このような場合には、壁紙に重畳して表示する時間情報の表示位置を、ユーザにより操作されることで受け付けられた表示位置の変更指示（移動指示）に基づいて、時間情報の表示位置を変更（移動）することも可能ではあるが、このような操作は壁紙の設定ごとに行わなければならず、このような操作はユーザにとって大変煩わしいものとなってしまう。このような課題は、特許文献１により提案されている技術を用いたとしても解決することはできない。
【０００６】
本発明は、このような状況に鑑みてなされたものであり、設定される壁紙に応じて、重畳して表示される時間情報の表示位置を簡単に、かつ、好適に変更することができる情報処理装置を提供することを目的とする。
【課題を解決するための手段】
【０００７】
本発明の情報処理装置は、上述した課題を解決するために、待ち受け画面上に壁紙と時間情報とを表示する表示手段と、表示手段における表示領域の中から、時間情報を表示するための表示領域である時間情報表示領域を判定する判定手段と、判定手段により判定された時間情報表示領域を用いて、表示手段により壁紙に重畳して表示される時間情報の表示位置を変更する変更手段とを備えることを特徴とする。
【０００８】
本発明の情報処理装置においては、待ち受け画面上に壁紙と時間情報とが表示され、表示領域の中から、時間情報を表示するための表示領域である時間情報表示領域が判定され、判定された時間情報表示領域を用いて、表示手段により壁紙に重畳して表示される時間情報の表示位置が変更される。
【発明の効果】
【０００９】
本発明によれば、設定される壁紙に応じて、重畳して表示される時間情報の表示位置を簡単に、かつ、好適に変更することができる。
【発明を実施するための最良の形態】
【００１０】
以下、本発明の実施の形態について、図面を参照しながら説明する。図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１１】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ４４）が設けられており、内蔵されたアンテナを介して基地局（図示せず）との間で電波を送受信する。
【００１２】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１３】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００１４】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１５】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００１６】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、液晶ディスプレイ１７の上部の所定の位置にはスピーカ１８が設けられており、これにより、ユーザは音声通話することが可能である。
【００１７】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００１８】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００１９】
図３は、本発明に係る情報処理装置として適用可能な携帯電話機１の内部の構成を表している。図３に示されるように、携帯電話機１は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、および記憶部４７がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００２０】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。なお、主制御部３１には、現在の日付と時刻を正確に計測するタイマが内蔵されている。
【００２１】
携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００２２】
また、携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００２３】
さらに、携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００２４】
これに対して携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００２５】
携帯電話機１は、データ通信モード時に画像信号を送信する場合、ＣＣＤカメラ２０で撮像された画像信号をカメラインタフェース部３５を介して画像エンコーダ３４に供給する。
【００２６】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機１は、ＣＣＤカメラ２０で撮像中にマイクロフォン１５で集音した音声を音声コーデック４０を介してディジタルの音声信号として多重分離部３８に送出する。
【００２７】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。これに対して、携帯電話機１では、データ通信モード時に、Ｗｅｂページのデータを受信することができる。
【００２８】
また、携帯電話機１は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００２９】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。
【００３０】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。
【００３１】
ところで、例えば待ち受け画面上に表示される壁紙として人物の画像（写真）を設定してしまうと、例えば図４に示されるように、人物の顔が表示されている部分に時間情報が重なって表示されてしまう場合もあり、このような場合にはユーザが意図しない待ち受け画面となってしまう。
【００３２】
このような場合には、壁紙に重畳して表示する時間情報の表示位置を、ユーザにより操作されることで受け付けられた表示位置の変更指示（移動指示）に基づいて、時間情報の表示位置を変更（移動）することも可能ではある。具体的には、例えば図５に示されるように、図５（ａ）に示される待ち受け画面上に任意の画像が壁紙として表示されているときに、ユーザにより操作キー１４が操作されることにより、時間情報の表示位置を変更するためのメニュの選択が受け付けられ、図５（ａ）に示される待ち受け画面から図５（ｂ）に示される時間情報表示位置変更画面に表示画面が遷移する。そして、図５（ｂ）に示される時間情報表示位置変更画面上において時間情報の表示位置を変更するための操作がユーザによりなされ、図５（ｂ）に示される時間情報位置変更画面上において時間情報の表示位置の変更指示が受け付けられると、壁紙に重畳して表示されていた時間情報の表示位置が変更指示に従って右下方に変更（移動）され、図５（ｂ）に示される時間情報位置変更画面から図５（ｃ）に示される時間情報表示位置変更画面に表示画面が遷移する。その後、図５（ｃ）に示される時間情報表示位置変更画面上において時間情報の表示位置の変更を決定する旨の指示がユーザから受け付けられると、時間情報の表示いちの変更が決定され、表示画面が図５（ｄ）に示される待ち受け画面に遷移する。
【００３３】
しかしながら、図５（ａ）乃至（ｄ）に示される一連の操作は壁紙の設定ごとに行わなければならず、このような操作はユーザにとって大変煩わしいものとなってしまう。そこで、例えば待ち受け画面上に表示される壁紙として人物の画像（写真）を設定する場合に、画像に含まれる人物の例えば顔などを検知し、検知された顔などに時間情報が重ならないようにその表示位置を自動的に変更するようにする。これにより、設定される壁紙に応じて、重畳して表示される時間情報の表示位置を簡単に、かつ、好適に変更することが可能となる。以下、この方法を用いた壁紙設定処理について説明する。
【００３４】
図６のフローチャートを参照して、図３の携帯電話機１における壁紙設定処理について説明する。この壁紙設定処理は、ユーザにより操作キー１４が操作されることにより、壁紙設定処理を開始するとの指示が受け付けられることで、開始される。
【００３５】
なお、この壁紙設定処理が開始される前に、待ち受け画面上に表示される時間情報のデザインとして、記憶部４７に予め記憶されている複数の時間情報のデザイン（例えば月日などが１行書きで記述されるデザインや、時間情報を記述する際のフォントが所定のフォントや色に予め設定されたデザインなど）の中から、ユーザの好みに応じた時間情報のデザインの選択が受け付けられる。そして、待ち受け画面上に表示される時間情報のデザインは、選択が受け付けられた時間情報のデザインに設定され、例えば図７（ａ）に示されるように、そのデザインを用いた時間情報が待ち受け画面上に表示される。但し、待ち受け画面上に表示される時間情報のデザインが設定されると、設定されたデザインを用いて時間情報を表示する際に、液晶ディスプレイ１７の表示領域において使用される使用面積が決定される。
【００３６】
ステップＳ１において、主制御部３１は、ユーザにより操作キー１４が操作されることにより、待ち受け画面上に表示される壁紙を設定するメニュが選択されることで、壁紙設定処理を開始するとの指示が受け付けられたか否かを判定し、壁紙設定処理を開始するとの指示が受け付けられたと判定するまで待機する。ステップＳ１において壁紙設定処理を開始するとの指示が受け付けられたと判定された場合、主制御部３１はステップＳ２で、ＬＣＤ制御部３６を制御し、待ち受け画面上に表示させる壁紙を設定するための壁紙設定画面を液晶ディスプレイ１７に表示させる。液晶ディスプレイ１７は、ＬＣＤ制御部３６の制御に従い、待ち受け画面上に表示させる壁紙を設定するための壁紙設定画面を表示する。
【００３７】
ステップＳ３において、主制御部３１は、ユーザにより操作キー１４が操作されることにより、壁紙設定画面上において待ち受け画面上に表示される壁紙の選択を受け付ける。例えば壁紙設定画面上において壁紙として、予め記憶部４７に記憶されている１つの風景画像の選択が受け付けられると、液晶ディスプレイ１７に表示画面は例えば図７（ｂ）に示される壁紙設定画面に遷移する。例えば図７（ｂ）に示されるように、液晶ディスプレイ１７には、壁紙として選択が受け付けられた１つの風景画像が表示される。
【００３８】
その後、ユーザにより操作キー１４がさらに操作されることにより、例えば壁紙設定画面上において壁紙として、予め記憶部４７に記憶されている１つの人物画像の選択が受け付けられると、液晶ディスプレイ１７に表示画面は例えば図７（ｂ）に示される壁紙設定画面から図７（ｃ）に示される壁紙設定画面に遷移する。例えば図７（ｃ）に示されるように、液晶ディスプレイ１７には、壁紙として選択が受け付けられた１つの人物画像（図７（ｃ）の例の場合、２人の人物が並んで立っている画像）が表示される。
【００３９】
なお、ユーザにより操作キー１４がさらに操作されることで、壁紙として異なる画像の選択が受け付けられると、液晶ディスプレイ１７に表示される表示画面は順次遷移する。これにより、ユーザは、好みに応じて所望の壁紙を選択することができる。
【００４０】
ステップＳ４において、主制御部３１は、操作入力制御部３３を介して、ユーザにより操作キー１４のうちの例えば確定キー（決定キー）などが操作されることにより、壁紙設定画面上において選択された壁紙の確定が指示されると、待ち受け画面上に表示される壁紙を、壁紙設定画面上において選択された壁紙に設定する。設定された壁紙に関する設定データは、記憶部４７に記憶される。
【００４１】
例えば図７（ｃ）に示される壁紙設定画面上において選択された人物画像（２人の人物が並んで立っている画像）の確定が指示されると、この人物画像が壁紙に設定される。なお、以下の処理においては、この壁紙設定処理において図７（ｃ）に示される人物画像が壁紙に設定された場合について説明する。
【００４２】
ステップＳ５において、主制御部３１は、ＲＯＭや記憶部４７に予め記憶されている顔認証ソフトウェアを読み出し、読み出された顔認証ソフトウェアを実行することにより、設定された壁紙の画像に含まれる人物の顔を検知する。具体的には、例えば特開２００５−４９９７９号公報、特開２００５−１４９２１７号公報、特開２００６−６５８１６号公報などに開示されている技術を用いて、主制御部３１は、設定された壁紙の画像に含まれる画像パターン（特徴量）を抽出し、抽出された画像パターンにおいて顔部品（例えば両眉毛、両目、鼻など）の各候補の位置関係や肌色が有する色調などから、設定された壁紙の画像に含まれる人物の顔を検知する。勿論、設定された壁紙の画像に含まれる人物の顔を検知できさえすればよく、これ以外に方法を用いて人物の顔を検知するようにしてもよい。
【００４３】
ステップＳ６において、主制御部３１は、検知された壁紙の画像に含まれる人物の顔の輪郭などに基づいて、この人物の顔における任意の位置の座標（例えば中心位置の座標など）を算出する。図７（ｃ）の例の場合、壁紙の画像に含まれる人物が２人存在することから、それぞれの人物の顔における任意の位置の座標が算出される。ステップＳ７において、主制御部３１は、設定されたデザインを用いて時間情報を表示する際に、液晶ディスプレイ１７の表示領域において使用される使用面積と、算出された壁紙の画像に含まれる人物の顔の任意の位置の座標（例えば中心位置の座標など）に基づいて、液晶ディスプレイ１７の全表示領域の中から、たとえ時間情報を設定されたデザインを用いて表示したとしても、壁紙の画像に含まれる人物の顔に重ならないように時間情報を表示する表示領域を、時間情報を表示するための表示領域である時間情報表示領域として判定する。
【００４４】
例えば壁紙の画像に含まれる人物の顔の任意の位置の座標（例えば中心位置の座標など）から最も離れた表示領域（例えば図７（ｃ）の場合、液晶ディスプレイ１７の下方において斜線により示される表示領域１）が、時間情報を表示するための表示領域である時間情報表示領域であると判定される。勿論、判定される時間情報表示領域は、たとえ時間情報を設定されたデザインを用いて表示したとしても、壁紙の画像に含まれる人物の顔に重ならないような表示領域でありさえすればよく、人物の顔の任意の位置の座標（例えば中心位置の座標など）から最も離れた表示領域に限られず、例えば図７（ｃ）において液晶ディスプレイ１７の上方において斜線により示される表示領域２を、時間情報を表示するための表示領域である時間情報表示領域として判定するようにしてもよい。
【００４５】
ステップＳ８において、主制御部３１は、時間情報表示領域に関する判定結果に基づき、待ち受け画面上に表示される壁紙に重畳して表示される時間情報の表示位置を、予め設定されている表示位置（例えば図７（ａ）に示される時間情報（１／２３（火）１５：３０）の表示位置など）から、判定された時間情報表示領域に含まれる所定の表示位置に変更する。
【００４６】
ステップＳ９において、主制御部３１は、ＬＣＤ制御部３６を制御し、変更された時間情報の表示位置で、設定された壁紙に時間情報を重畳して液晶ディスプレイ１７に表示させる。液晶ディスプレイ１７は、ＬＣＤ制御部３６の制御に従い、例えば図７（ｃ）に示されるように、変更された時間情報の表示位置で、設定された壁紙に時間情報を重畳して表示する。これにより、設定された壁紙の画像に含まれる人物の顔に重ならないように時間情報が表示される。
【００４７】
ステップＳ１０において、主制御部３１は、ユーザにより操作キー１４が操作されることにより、壁紙設定処理を終了するとの指示が受け付けられたか否かを判定し、壁紙設定処理を終了するとの指示が受け付けられたと判定するまで待機する。ステップＳ１０において壁紙設定処理を終了するとの指示が受け付けられたと判定された場合、この壁紙設定処理は終了する。
【００４８】
本発明の実施形態においては、設定された壁紙の画像に含まれる人物の顔を検知し、検知された人物の顔の任意の位置の座標を算出するとともに、設定されたデザインを用いて時間情報を表示する際に使用される使用面積と、算出された壁紙の画像に含まれる人物の顔の任意の位置の座標（例えば中心位置の座標など）に基づいて、液晶ディスプレイ１７の全表示領域の中から、たとえ時間情報を設定されたデザインを用いて表示したとしても、壁紙の画像に含まれる人物の顔に重ならないように時間情報を表示する表示領域を、時間情報を表示するための表示領域である時間情報表示領域として判定することができる。
【００４９】
そして、時間情報表示領域に関する判定結果に基づき、待ち受け画面上に表示される壁紙に重畳して表示される時間情報の表示位置を、予め設定されている表示位置から、判定された時間情報表示領域に含まれる所定の表示位置に変更し、変更された時間情報の表示位置で、時間情報の表示位置で、設定された壁紙に時間情報を重畳して表示することができる。
【００５０】
これにより、設定される壁紙に応じて、重畳して表示される時間情報の表示位置を簡単に、かつ、好適に変更することができる。従って、待ち受け画面上に表示される壁紙に、時間情報を好適に重畳して表示することができる。その結果、ユーザは、壁紙の設定ごとに時間情報の表示位置を変更するための煩雑な操作を行う必要はなくなり、携帯電話機１の利便性を向上させることができる。
【００５１】
なお、図６のフローチャートを参照して説明した壁紙設定処理においては、予め、待ち受け画面上に表示される時間情報のデザインが、選択が受け付けられた時間情報のデザインに設定され、そのデザインを用いた時間情報が待ち受け画面上に表示されるようにした上で、その後、壁紙設定処理を開始するようにしたが、このような場合に限られず、例えば壁紙設定後に時間情報のデザインを設定し、時間情報の表示位置を変更するようにしてもよい。この場合における壁紙設定処理は、図８のフローチャートに示されている。なお、図８のステップＳ１１乃至Ｓ１４、およびステップＳ１８乃至Ｓ２３の処理は、図６のステップＳ１乃至Ｓ１０の処理と同様であり、また、図８のステップＳ１５乃至Ｓ１７の処理は、図６のフローチャートを用いて説明した壁紙設定処理を開始する前の前提処理と基本的には同様であり、その説明は繰り返しになるので省略する。
【００５２】
ところで、図６または図８のフローチャートを参照して説明した壁紙設定処理においては、待ち受け画面上に表示される壁紙として人物画像が設定された場合について明示して説明したが、このような場合に限られず、例えば人物画像以外の風景画像や動物の画像などにも本発明を適用するようにしてもよい。具体的には、設定された壁紙の画像のうち、時間情報を重畳して表示したとしても、ユーザがその壁紙を視認する際に影響を与えにくい領域として、画素の変化が少ない領域である画素低変化領域を検知する。例えば図７（ｂ）に示される風景画像の場合、斜線により示された表示領域１や２が画素低変化領域として検知される。例えば以下、この方法を用いた壁紙設置処理について説明する。
【００５３】
図９のフローチャートを参照して、図３の携帯電話機１における他の壁紙設定処理について説明する。なお、図９のステップＳ３１乃至Ｓ３４、およびステップＳ３７乃至Ｓ３９の処理は、図６のステップＳ１乃至Ｓ４、およびステップＳ８乃至Ｓ１０の処理と同様であり、その説明は繰り返しになるので省略する。
【００５４】
ステップＳ３５において、主制御部３１は、ＲＯＭや記憶部４７に予め記憶されている顔認証ソフトウェアを読み出し、読み出された顔認証ソフトウェアを実行することにより、設定された壁紙の画像に含まれる、画素の変化が少ない領域である画素低変化領域を検知する。具体的には、上述したように、例えば特開２００５−４９９７９号公報や特開２００５−１４９２１７号公報などに開示されている技術を用いて、画素の差分を算出し、算出された差分値と所定の基準値により、画素の変化が少ない領域である画素低変化領域（図７（ｂ）の例の場合、斜線により示される表示領域１や２）が検知される。このとき、検知された画素低変化領域により占有される占有面積も算出される。
【００５５】
ステップＳ３６において、主制御部３１は、設定されたデザインを用いて時間情報を表示する際に、液晶ディスプレイ１７の表示領域において使用される使用面積と、判定された画素低変化領域およびその占有面積に基づいて、液晶ディスプレイ１７の全表示領域の中から、たとえ時間情報を設定されたデザインを用いて表示したとしても、ユーザがその壁紙を視認する際に影響を与える程度に壁紙の画像に重ならないように時間情報を表示する表示領域を、時間情報を表示するための表示領域である時間情報表示領域として判定する。
【００５６】
例えば検知された画素低変化領域（例えば図７（ｂ）の場合、液晶ディスプレイ１７の上方または下方において斜線により示される表示領域１または２）のうち、設定されたデザインを用いて時間情報を表示する際に使用される使用面積に対応する一部の領域が、時間情報表示領域であると判定される。なお、検知された画素低変化領域により占有される占有面積よりも、設定されたデザインを用いて時間情報を表示する際に使用される使用面積の方が大きい場合には、検知された画素低変化領域のうち最も占有面積が大きい表示領域を含めた近傍の領域が、時間情報表示領域であると判定されるようにしてもよい。その後、処理はステップＳ３７に進み、ステップＳ３７以降の処理が実行される。
【００５７】
これにより、人物画像や風景画像などのあらゆる壁紙に応じて、重畳して表示される時間情報の表示位置を簡単に、かつ、好適に変更することができる。従って、待ち受け画面上に表示される壁紙に、時間情報を好適に重畳して表示することができる。その結果、ユーザは、壁紙の設定ごとに時間情報の表示位置を変更するための煩雑な操作を行う必要はなくなり、携帯電話機１の利便性をより向上させることができる。
【００５８】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００５９】
また、本発明の実施形態において説明した一連の処理は、ソフトウェアにより実行させることもできるが、ハードウェアにより実行させることもできる。
【００６０】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００６１】
【図１】本発明に係る情報処理装置に適用可能な携帯電話機の外観の構成を示す外観図。
【図２】本発明に係る情報処理装置に適用可能な携帯電話機の他の外観の構成を示す外観図。
【図３】本発明に係る情報処理装置に適用可能な携帯電話機の内部の構成を示すブロック図。
【図４】従来において、待ち受け画面上に表示される壁紙に重畳して表示される際の時間情報の表示例を示す図。
【図５】従来において、待ち受け画面上に表示される壁紙に重畳して表示される際の時間情報の表示位置の変更方法を説明する説明図。
【図６】図３の携帯電話機における壁紙設定処理を説明するためのフローチャート。
【図７】図６のフローチャートを用いて説明する壁紙設定処理における表示画面の遷移図。
【図８】図３の携帯電話機における他の壁紙設定処理を説明するためのフローチャート。
【図９】図３の携帯電話機における他の壁紙設定処理を説明するためのフローチャート。
【符号の説明】
【００６２】
１…携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部。
【図１】
2008269095.tif 000003
【図２】
2008269095.tif 000004
【図３】
2008269095.tif 000005
【図４】
2008269095.tif 000006
【図５】
2008269095.tif 000007
【図６】
2008269095.tif 000008
【図７】
2008269095.tif 000009
【図８】
2008269095.tif 000010
【図９】
2008269095.tif 000011